(57)【要約】【課題】排水が逆流した際は良好に止水し、排水目皿下面側に泡が溜まっても、排水目皿上面側からの排水を排水目皿下面側へと排水出来、且つフロートパッキンが誤作動のない排水目皿を提供する。【解決手段】排水口に取り付けられる本体部（１）と、本体部（１）に開口された開口部（２）と、前記開口部（２）周縁と当接して開口部（２）を閉塞するフロートパッキン（３）と、から構成される排水目皿において、前記本体部（１）のフロートパッキン（３）が当接する当接面（４）を側面視湾曲して構成する。【選択図】図１
2005042478.tif 000002
【特許請求の範囲】
【請求項１】
排水口に取り付けられる本体部（１）と、
本体部（１）に開口された開口部（２）と、
前記開口部（２）周縁と当接して開口部（２）を閉塞するフロートパッキン（３）と、
から構成される排水目皿において、
前記本体部（１）のフロートパッキン（３）が当接する当接面（４）を側面視湾曲して構成したことを特徴とする排水目皿。
【請求項２】
前記当接面（４）を、開口部（２）の周縁を凸設させることで構成することを特徴とする請求項１に記載の排水目皿。
【請求項３】
前記本体部（１）の当接面の上端（４ａ）近傍に、前記フロートパッキン（３）のたわみ抑制部（５）を凸設したことを特徴とする請求項２に記載の排水目皿。
【請求項４】
前記本体部（１）の当接面の下端（４ｂ）近傍にのみ、開口部（２）を設けたことを特徴とする請求項１乃至請求項３のいずれか一つに記載の排水目皿。
【請求項５】
前記本体部（１）は垂直方向に軸部（６）を備えた部材であって、該軸部（６）には平面視リング形状のフロートパッキン（３）を軸部（６）に沿って上下動可能に備え、且つ該軸部（６）の外側面にフロートパッキン（３）の内周部分に当接する凸部（７）を構成したことを特徴とする請求項１乃至請求項４のいずれか一つに記載の排水目皿。
【請求項６】
前記軸部（６）の下端に、外周方向に向かってフランジ部（８）が構成され、且つ該フランジ部（８）は切欠部（９）を構成したことを特徴とする請求項１乃至請求項５のいずれか一つに記載の排水目皿。
【発明の詳細な説明】
【技術分野】
【０００１】
本発明は、洗面台や浴室、台所などの排水口に用いられる排水目皿に関するものである。
【背景技術】
【０００２】
従来より、以下ア）、イ）に記載する排水目皿が知られている。
ア）図１１に示す従来の排水目皿は、以下に記載する本体部と、開口部と、フロートパッキンから構成される。
本体部は、平面視円形状である、平坦な板状体であって、各種排水機器の排水口に水密的に取り付けられる。また、本体部下面に、下方に垂設される軸部を備える。更に該軸部は側面方向に凸設したフランジ部を構成して成る。また、このフランジ部は、断面視外周方向に飛び出し平面視本体部と同心円形状となっている。
開口部は、前記本体部に複数開口される。
フロートパッキンは、平面視中心に開口を備えた円形のリング形状であって、比重が１よりも軽く構成され、前記軸部をその軸として上下動自在に配置されている。
この排水目皿の作用としては、図１１（ａ）に示すように、通常時はフロートパッキンがその自重により下降して、フロートパッキンの下面が前記フランジ部に当接されて配置されており、本体部の上面側から排水があると、開口部を介して本体部下面側へと排水される。
また、本体部の下面からの逆流水に対しては、図１２（ｂ）に示すように、フロートパッキンが１より軽い比重で構成されているので、フロートパッキンが逆流水に伴って浮上し、フロートパッキンが本体部に当接される。このとき、開口部はフロートパッキンによって水密的に閉塞されるため、逆流水が本体部上面側へ逆流することはない。
また、逆流水が収まるとフロートパッキンはその自重により下降して、前記フランジ部に当接される。
イ）図１２に示す従来の排水目皿は、前記ア）と同じ構成の本体部と、開口部と、から構成され、さらにフロートパッキンを以下の構成としている。
フロートパッキンは、平面視中心に開口を備えた円形のリング形状であって、比重が１よりも軽く構成され軸部をその軸として上下動自在に配置されている。また、その上面には、凸溝が同心円軸上に凸設され、更にこの凸溝はフロートパッキンが浮上した際に、本体部の開口部周縁に当接する。
この排水目皿の作用としては、図１２（ａ）に示すように、通常時はフロートパッキンがその自重により下降して、フロートパッキンの下面が前記フランジ部に当接されて配置されており、本体部の上面側から排水があると、本体部の上面側から開口部を介して下面側へと排水される。
また、本体部の下面からの逆流水に対しては、図１２（ｂ）に示したようにフロートパッキンが１より軽い比重で構成されているので、フロートパッキンが逆流水に伴って浮上し、フロートパッキンの凸溝が本体部の下面の開口部周縁の当接面に当接される。このとき、開口部はフロートパッキンの凸溝によって水密的に閉塞されているため、逆流水が本体部へ逆流することはない。
また、逆流水が収まるとフロートパッキンはその自重により下降して、前記フランジ部に当接される。
【特許文献１】特開２００２−８８８５６（第1図、第2図参照）
【発明の開示】
【発明が解決しようとする課題】
【０００３】
ところで、前記従来の排水目皿は、下記のａ）乃至ｃ）の課題があった。
ａ）前記ア）の構成の排水目皿は、本体部当接面とフロートパッキンの当接面積が大きいことから、フロートパッキンが自重で下降する際、水の表面張力によりフロートパッキンが本体部下面に当接したまま、その自重で下降することが出来ない場合があった。
ｂ）前記ア）の課題に対してイ）の構成の排水目皿は、フロートパッキン上面に凸溝を凸設してそれを当接面としたので、ア）と比較すると当接面積が小さくなり、水の表面張力の影響を受けにくく、課題ａ）を解決する。しかし軸部などに対してフロートパッキンの中心が偏芯して位置ズレを起こした際に、フロートパッキンに凸溝を設けているため該凸溝も偏芯してしまい、本体部の当接面に凸溝が当接せず、例えば開口部に凸溝の当接面が配置されるなどして隙間が発生し当接面が形成されず、フロートパッキンによって良好に止水を行うことができなかった。
ｃ）前記ア）及びイ）の構成の排水目皿では、正常に動作する場合、通常排水の逆流が終了すればフロートパッキンはその自重により下降する。しかしながら、排水中に洗剤が多量に含まれていると、排水中に多量に泡が生じる。これらの泡は比重が１よりも軽いので、排水の流れが弱くなると排水中から浮かび上がり、排水とともに流出しにくくなって、排水目皿の本体部下面側に大量に溜まる。結果、この泡がフロートパッキンを押し上げ、フロートパッキンが開口部を閉塞して、本体部上面側から排水が発生しても、本体部下面側に排水することが出来ない、といった問題があった。
ｄ）また、前記ア）及びイ）の構成の排水目皿の軸部はフロートパッキンの上昇／下降作用の軸となっているため、排水中に含まれる水あかや排水中のごみが軸部にこびりついてしまった際、フロートパッキンの内径が軸部にこびりついた水あかやごみに引っ掛かってスムーズに動作しなくなり、例えばフロートパッキンが斜めに配置されたりするなどして、フロートパッキンの誤作動が発生していた。
ｅ）また、前記ア）及びイ）の構成の排水目皿は、逆流の際、逆流の水圧をフロートパッキンの上昇の助けとしているが、軸部のフランジ部を外周方向に飛び出す本体部と同心円形状としているため、排水の逆流の水圧がフランジ部によって邪魔されることが多く、フロートパッキンがスムーズに作動しないことがあった。
【０００４】
以上から、本発明は下記１．乃至３．を提供することを目的とする。
１．排水が逆流した際は良好に止水する排水目皿。
２．排水目皿下面側に泡が溜まっても、排水目皿上面側からの排水を排水目皿下面側へと排水出来る排水目皿。
３．フロートパッキンが誤作動のない排水目皿。
【課題を解決するための手段】
【０００５】
請求項１に記載の本発明の排水目皿は、排水口に取り付けられる本体部（１）と、本体部（１）に開口された開口部（２）と、前記開口部（２）周縁と当接して開口部（２）を閉塞するフロートパッキン（３）と、から構成される排水目皿において、前記本体部（１）のフロートパッキン（３）が当接する当接面（４）を側面視湾曲して構成したことを特徴とする排水目皿である。
【０００６】
請求項２に記載の本発明の排水目皿は、前記当接面（４）を、開口部（２）の周縁を凸設させることで構成することを特徴とする前記段落０００５に記載の排水目皿である。
【０００７】
請求項３に記載の本発明の排水目皿は、前記本体部（１）の当接面の上端（４ａ）近傍に、前記フロートパッキン（３）のたわみ抑制部（５）を凸設したことを特徴とする前記段落０００６に記載の排水目皿である。
【０００８】
請求項４に記載の本発明の排水目皿は、前記本体部（１）の当接面の下端（４ｂ）近傍にのみ、開口部（２）を設けたことを特徴とする前記段落０００５乃至０００７のいずれか一つに記載の排水目皿である。
【０００９】
請求項５に記載の本発明の排水目皿は、前記本体部（１）は垂直方向に軸部（６）を備えた部材であって、該軸部（６）には平面視リング形状のフロートパッキン（３）を軸部（６）に沿って上下動可能に備え、且つ該軸部（６）の外側面にフロートパッキン（３）の内周部分に当接する凸部（７）を構成したことを特徴とする前記段落０００５乃至０００８のいずれか一つに記載の排水目皿である。
【００１０】
請求項６に記載の本発明の排水目皿は、前記軸部（６）の下端に、外周方向に向かってフランジ部（８）が構成され、且つ該フランジ部（８）は切欠部（９）を構成したことを特徴とする前記段落０００５乃至０００９のいずれか一つに記載の排水目皿である。
請求項５
【発明の効果】
【００１１】
本発明の排水目皿は以下の効果を奏する。
本発明の排水目皿は、フロートパッキン（３）が１より軽い比重で構成され、フロートパッキン（３）が逆流水の水圧によって自身の弾性により折曲し本体部（１）の湾曲した当接面（４）に沿って当接させることで、開口部（２）が水密的に閉塞され、排水の逆流が本体部（１）上面側へ逆流することが無くなった。
また、本発明の排水目皿は、本体部（１）裏面側に排水中の洗剤等の泡が発生してフロートパッキン（３）が自重により降下しない状態が発生しても、フロートパッキン（３）と当接面の上端（４ａ）の間の隙間によって、本体部（１）上面側からの排水は、この隙間を介して本体部（１）下側へと排水できるようになった。
また、本発明の排水目皿は、開口部（２）は当接面の下端（４ｂ）近傍にのみ設けており、当接面の上端（４ａ）の近傍には設けていないため、逆流の水圧が小さいときでも排水の逆流はほとんど生じなくなった。
また、本発明の排水目皿は、軸部（６）に凸部（７）を設けたことで、軸部（６）に水あかや排水ゴミが付着し、軸部（６）の滑らかさが失われた場合でもフロートパッキン（３）の内径と軸部（６）の間に隙間があるので、両者の接する面積が小さくなって、摩擦が減少しスムーズにフロートパッキン（３）が上下動に作動するようになった。
また、本発明の排水目皿は、フランジ部（８）に切欠部（９）を構成したことで、従来例と比較して逆流水の水圧がフロートパッキン（３）に対して加わりやすくなり、フロートパッキン（３）の上昇が簡単となった。このため、フロートパッキン（３）の上昇がより容易、且つスムーズに作動するようになった。
また、本発明の排水目皿は、フランジ部（８）の切欠部（９）を上面視前記凸部（７）が構成されていない部分に配置したことで、軸部（６）に付着した水あかや排水ゴミがそのまま落下し、フランジ部（８）上面に貯留することなく排水中に流れやすくなり、フロートパッキン（３）がスムーズに動作しやすくなった。
【発明を実施するための最良の形態】
【００１２】
本発明の排水目皿の構成は、図１乃至図８に示すように、以下に記載する本体部（１）、開口部（２）、当接面（４）、軸部（６）、フランジ部（８）、たわみ抑制部（５）、フロートパッキン（３）、から構成される。
また、本実施例の排水目皿は、図１０に示したように、浴室の浴槽からの排水と浴槽載置パンからの排水を排水するための排水口に取り付けられる。
本体部（１）は、円形状であって、その外周にパッキンなどの水密部材（１０）を備えて各種排水機器の排水口に水密的に取り付けられる。また、本体部（１）下面に、下方に垂設される軸部（６）を備える。更に該軸部（６）下端には側面方向に凸設したフランジ部（８）を構成して成る。
開口部（２）は、前記本体部（１）の、後記する当接面の下端（４ｂ）近傍部分にのみに複数開口されている。
当接面（４）は、本体部（１）裏面側の開口部（２）周縁に凸設した、後述する軸部（６）の軸を中心として側面視左右端方向ほど上方に向かう湾曲によって構成される。
フロートパッキン（３）は、平面視中心に開口を備えた円形のリング形状あって、比重が１よりも軽く構成され、前記軸部（６）をその軸として上下動自在に配置されている。また、フロートパッキン（３）が上動した際は開口部（２）の当接面（４）に当接する。
軸部（６）は、円筒形状であって、本体部（１）裏面の中心から下方に向けて垂設される。また、軸部（６）側面には軸方向に沿って複数凸設された凸部（７）を構成する。
フランジ部（８）は、前記軸部（６）下端に外方向に向かって凸設されて構成される。このフランジ部（８）には切欠部（９）を構成し、前記フロートパッキン（３）の抜け止めを行っている。さらにこの切欠部（９）は上面視前記凸部（７）が構成されていない部分に配置される。
たわみ抑制部（５）は、前記本体部（１）裏面の開口部（２）以外の場所に凸設して構成され、フロートパッキン（３）の撓みすぎを防ぐ。
【００１３】
この実施例の排水目皿は、図２に示すように、通常時はフロートパッキン（３）がその自重により下降して、フロートパッキン（３）の下面が前記フランジ部（８）上面に当接されて配置されており、本体部（１）の上面側から排水があると、開口部（２）を介して本体部（１）下面側へと排水される。
また、本体部（１）の下面からの逆流水に対しては、図６に示すように、フロートパッキン（３）が１より軽い比重で構成されているので、フロートパッキン（３）が逆流水に伴って浮上し、弾性を備えたフロートパッキン（３）が逆流水の水圧によって折曲し本体部（１）の当接面（４）の湾曲に沿って当接する。このとき、開口部（２）はフロートパッキン（３）によって水密的に閉塞されているため、逆流水が本体部（１）上面側へ逆流することはない。
また、逆流水が収まるとフロートパッキン（３）はその自重により下降して、図２に示すように前記フランジ部（８）に当接される。
また、本体部（１）の当接面（４）が存在しない部分にはたわみ抑制部（５）を構成している。たわみ抑制部（５）が無いと、図８に示したように逆流の水圧が高い場合に、水圧によってフロートパッキン（３）が撓みすぎてしまってフロートパッキン（３）と当接面の下端（４ｂ）の間に隙間（１１）が発生してしまうが、たわみ抑制部（５）を設けることで、図７のようにフロートパッキン（３）が効果的にたわみ抑制部（５）に当接するので、当接面（４）とフロートパッキン（３）の間に隙間（１１）を発生させることを防ぐ。
また、本体部（１）裏面側に排水中の洗剤等の泡が発生し、フロートパッキン（３）を押し上げてフロートパッキン（３）が自重により降下しない状態が発生したときは、フロートパッキン（３）は当接面の下端（４ｂ）に当接する。しかしながら、泡の圧力は水の圧力に比べほとんど０に近いため、フロートパッキン（３）を折曲させることは出来ず、フロートパッキン（３）は図１及び図５に示したように平坦な面を保ったままである。このため、フロートパッキン（３）と当接面上端（４ａ）の間には隙間が出来、本体部（１）上面側からの排水は、この隙間を介して本体部（１）下側へと排水される。よって、泡によってフロートパッキン（３）が下降しなくても排水目皿上側からの排水は排水目皿の下側へと排水することが出来る。
また、開口部（２）は図３及び図４に示したように当接面の下端（４ｂ）近傍にのみ設けており、当接面上端（４ａ）の近傍には設けていない。排水の逆流の圧力が弱まると、フロートパッキン（３）を折曲させていた力が弱くなり、図１及び図５のようにフロートパッキン（３）がほぼ平坦となる。このときフロートパッキン（３）と当接面（４）の間が最大となるが、当接面（４）の上端の近傍には開口部（２）が無いため排水の通行は発生せず、逆流の水圧が小さいときでも排水の逆流はほとんど生じない。
また、図４に示したように、軸部（６）に凸部（７）を設けたことで、軸部（６）に水あかや排水ゴミが付着し、軸部（６）の滑らかさが失われた場合でも、フロートパッキン（３）の内径との間に隙間があるので、両者の接する面積が小さくなって、摩擦が減少しスムーズにフロートパッキン（３）が上下動に作動する。
また、図４に示したようにフランジ部（８）に切欠部（９）を構成したことで、従来例と比較して逆流水の水圧がフロートパッキン（３）に対して加わりやすくなり、フロートパッキン（３）の上昇が簡単となった。このため、フロートパッキン（３）の上昇がより容易、且つスムーズに作動するようになった。
また、図４に示したようにフランジ部（８）の切欠部（９）は、上面視前記凸部（７）が構成されていない部分に配置されている。このため、軸部（６）に付着した水あかや排水ゴミがそのまま落下し、フランジ部（８）上面に貯留することなく排水中に流れやすくなる。
【００１４】
本発明の実施例は上記のようであるが、本発明は上記実施例に限定されるものではなく、発明の要旨を変更しない範囲で自由に変更することが可能である。例えば、前記実施例では、本体部（１）に凸形状の当接面（４）が用いられているが、本発明ではフロートパッキン（３）と開口部（２）周縁の当接面（４）が湾曲していれば問題が無いので、図９に示したように、本体部（１）裏面全体が湾曲を構成し、フロートパッキン（３）との当接面（４）を構成しても特に問題がない。
【００１５】
また、前記実施例では本発明の排水目皿が浴室の排水口に設けられているが、本発明の排水目皿は浴室以外の排水口に設けられても特に問題がない。
【００１６】
また、前記実施例では排水目皿に軸部（６）を構成しているが、軸部（６）を備えない排水目皿であっても特に問題がない。
【００１７】
また、前記実施例では、円形状の排水目皿が用いられているが、発明の要旨を変更しない範囲で自由に変更することが可能である。
【図面の簡単な説明】
【００１８】
【図１】本発明の排水目皿の、フロートパッキンが泡などによって上昇した際のＢ−Ｂ’断面図である。
【図２】本発明の排水目皿の、フロートパッキンが自重により降下した際のＢ−Ｂ’断面図である。
【図３】本発明の排水目皿の上面図である。
【図４】本発明の排水目皿の底面図である。
【図５】本発明の排水目皿の、フロートパッキンが泡などによって上昇した際のＢ−Ｏ−Ｂ’断面図である。
【図６】本発明の排水目皿の、フロートパッキンが排水の逆流によって上昇した際のＢ−Ｏ−Ｂ’断面図である。
【図７】本発明の排水目皿の、たわみ抑制部にフロートパッキンが上昇して当接した際のＢ−Ｂ’断面図である。
【図８】本発明の排水目皿にたわみ抑制部を構成しなかった際のフロートパッキンが逆流によって上昇した際を示すＢ−Ｂ’断面図である。
【図９】本発明の他の実施例を示す断面図である。
【図１０】本発明の使用例を示す断面図である。
【図１１】従来例を示す断面図である。
【図１２】従来例を示す断面図である。
【符号の説明】
【００１９】
１    本体部
２    開口部
３    フロートパッキン
４    当接面
４ａ  当接面の上端
４ｂ  当接面の下端
５    たわみ抑制部
６    軸部
７    凸部
８    フランジ部
９    切欠部
１０  水密部材
１１  隙間
【図１】
2005042478.tif 000003
【図２】
2005042478.tif 000004
【図３】
2005042478.tif 000005
【図４】
2005042478.tif 000006
【図５】
2005042478.tif 000007
【図６】
2005042478.tif 000008
【図７】
2005042478.tif 000009
【図８】
2005042478.tif 000010
【図９】
2005042478.tif 000011
【図１０】
2005042478.tif 000012
【図１１】
2005042478.tif 000013
【図１２】
2005042478.tif 000014